(57)【要約】  取り外し可能なバリケードシステムは、第一ボラードに取り付けられる第一スリーブと、第二ボラードに取り付けられる第二スリーブと、第一スリーブおよび第二スリーブに取り付けられたバリケードと、を備えている。バリケードブロックは、第一ボラードと第二ボラードとの間の領域を閉鎖する。
2010504452.tif 000002
【特許請求の範囲】
【請求項１】
取り外し可能なバリケードシステムであって、
第一ボラードに取り付けられる第一スリーブと、
第二ボラードに取り付けられる第二スリーブと、
第一スリーブおよび第二スリーブに取り付けられたバリケードと、を備え、
バリケードブロックは、第一ボラードと第二ボラードとの間の領域を閉鎖する、バリケードシステム。
【請求項２】
前記バリケードは、少なくとも一つの水平部材を含む、請求項１に記載された取り外し可能なバリケードシステム。
【請求項３】
前記スリーブは、前記水平部材を引っ張るための引っ張りラッチを有する、請求項２に記載された取り外し可能なバリケードシステム。
【請求項４】
前記第一スリーブと前記第二スリーブのうちの少なくとも一つが、頂点カバーを有する、請求項１に記載された取り外し可能なバリケードシステム。
【請求項５】
前記頂点カバーが、水平部材の少なくとも一部を包囲する環状部を有する、請求項４に記載された取り外し可能なバリケードシステム。
【請求項６】
前記バリケードが、堅固な構造からなる、請求項１に記載された取り外し可能なバリケードシステム。
【請求項７】
前記バリケードが、木材、金属および複合材料の一つからなる、請求項１に記載された取り外し可能なバリケードシステム。
【請求項８】
前記バリケードは、第一ボラードと第二ボラードの頂点から底面まで延在する、請求項１に記載された取り外し可能なバリケードシステム。
【請求項９】
前記第一スリーブと前記第二スリーブの少なくとも一つは、一つ以上の取り付けられた拡張環状部を有する、請求項１に記載された取り外し可能なバリケードシステム。
【請求項１０】
前記バリケードは、ナイロン製のひもからなるカーゴネットである、請求項１に記載された取り外し可能なバリケードシステム。
【請求項１１】
取り外し可能な連結部が、少なくとも一つの拡張環状部に連結されている、請求項１０に記載された取り外し可能なバリケードシステム。
【請求項１２】
バリケードを提供するための方法であって、
連続したスリーブにバリケードを取り付ける工程と、
前記連続したスリーブを連続したボラード上に載置する工程と、
エネルギー吸収格子部とスリーブを前記ボラードに固定する工程と、
を備えた方法。
【発明の詳細な説明】
【技術分野】
【０００１】
本願の請求項は、２００６年９月２２日に提出されたＵＳ特許出願番号11/525,478に対して優先権を主張する。本発明は、取り外し可能なバリケードシステムに関連し、より詳細には、人や乗物がボラードを通過することを防止するボラードに連結されるために用いられるカバーやネットに関連する。
【発明の概要】
【０００２】
本開示は、取り外し可能なバリケードシステムに関連する。一つの態様において、取り外し可能なバリケードシステムは、第一ボラードに取り付けられる第一スリーブと、第二ボラードに取り付けられる第二スリーブと、第一スリーブおよび第二スリーブに取り付けられたバリケードと、を備え、バリケードブロックが、第一ボラードと第二ボラードとの間の領域を閉鎖する。
【図面の簡単な説明】
【０００３】
【図１】本開示のシステムの一態様によるボラードの間の領域で広がるネットを有する取り外し可能なバリケードを示した斜視図。
【図２】本開示のシステムの一態様によるボラードの間の領域で広がるネットを有する取り外し可能なバリケードを示した上方図。
【図３】本開示のシステムの一態様によるボラードの間の領域で広がるネットを有する取り外し可能なバリケードを示した正面図。
【図４】本開示のシステムの一態様によるボラードの間の領域で広がるネットを有する取り外し可能なバリケードを示した側方図。
【図５】本開示のシステムの一態様による取り外し可能な連結部を示した正面図。
【図６】本開示のシステムの一態様による二つの取り外し可能なバリケードに連結している取り外し可能な連結部を示した正面図。
【図７】本開示のシステムの一態様による二つの取り外し可能なバリケードに連結している取り外し可能な連結部を示した上方図。
【図８】本開示のシステムの一態様による反射部材を有する取り外し可能なバリケードの一部を示した正面図。
【図９】本開示のシステムの一態様による互いに直角に配置された二つの取り外し可能なバリケードに連結している取り外し可能な連結部を示した上方図。
【図１０】本開示のシステムの一態様による互いに直角に配置された二つの取り外し可能なバリケードに連結している取り外し可能な連結部を示した正面図。
【発明を実施するための形態】
【０００４】
同じまたは対応する箇所に同様の参照番号を示した複数の図面を参照として、より具体的には図１を参照として、本開示のシステムの一態様による実施の形態の一般的な配置が示される。
【０００５】
バリケードは、参照番号２００によって概略が示されており、水平部材１０と垂直部材４０とを有している。バリケード２００は、一つ以上のスリーブ３００Ａ，３００Ｂ，３００Ｃを含んでいる。
【０００６】
図１において、バリケード２００は、ボラード１００（図示せず）が配置される前の状態で示されている。スリーブ３００Ａ，３００Ｃは、基底環状部２０と、中間環状部３０と、頂点環状部２５とを有している。図１に示されている配置においては、スリーブ３００Ｂが、基底環状部２０と頂点環状部２５とを有している。頂点カバー５０が頂点環状部２５に設けられている。
【０００７】
一つの態様において、スリーブ３００は、例えば縫うことおよび／または接着剤を用いて、一つ以上の水平部材１０と垂直部材４０とに連結される。別の態様においては、スリーブ３００が環状部（図示せず）を含み、当該環状部を通すことで、水平部材１０および／または垂直部材４０が縫われて、移動可能に配置される。特に、ボラード１００が均一に離間して配置されていないときには、水平部材１０および／または垂直部材４０を配置するのに便利である。
【０００８】
垂直部材４０はある間隔で水平部材１０に連結され、または、垂直部材４０は水平部材１０が縫われる環状部（図示せず）を含み、垂直部材４０は水平部材１０に沿って移動可能に配置されてよい。同様に、別の態様において、一つ以上の水平部材１０は、環状部（図示せず）を含み、垂直部材４０に沿って移動可能に配置されてもよい。
【０００９】
図２は、スリーブ３００Ａ，３００Ｃに取り付けられた引っ張りラッチ６０と、ネット拡張環状部７０と、引っ張りベルト８０とを示している。引っ張りラッチ６０と引っ張りベルト８０は、水平部材１０を引っ張るために用いられる。例えば、使用者は、引っ張りベルト８０を引っ張り、引っ張りラッチ６０を介して水平部材１０の余分な部分を引っ張り、水平部材１０内で緩みを取り除く。水平部材１０を引っ張ることは、ボラード１００が均一に分かれて配置されていないときに有益である。
【００１０】
別の態様において、引っ張りラッチ６０と引っ張りベルト８０は、例えば人や乗物が衝突したときに、水平部材１０に閾値力が適用されるまで水平部材１０を引っ張るエネルギー吸収部材またはエネルギー拡散部材として作用してもよい。このような閾値力が作用すると、引っ張りラッチ６０は、少なくとも引っ張りベルト８０の一部を開放し、エネルギーを吸収および／または拡散する。
【００１１】
別の態様において、引っ張りラッチ６０は、スリーブ３００をボラード１００に、より堅固に固定するために用いられてもよい。
【００１２】
図３は、バリケード２００によってカバーされたボラード１００の正面図を示している。ネット拡張環状部７０はスリーブ３００に取り付けられ、バリケード２００を別のバリケードや固定金具（図示せず）に連結させてもよい。
【００１３】
図４に示されるように、ボラード１００は、基底環状部２０、中間環状部３０および頂点環状部２５を含むスリーブ３００に取り付けられてもよい。スリーブ頂点カバー５０は、頂点環状部２５に取り付けられ、頂点環状部２５の一を固定してもよい。一つの態様において、引っ張りラッチ６０は各水平部材１０のために存在してもよい。ネット拡張環状部７０は、基底環状部２０、中間環状部３０および頂点環状部２５に連結されてもよい。
【００１４】
図５は、取り外し可能な連結部４００の正面図を示す。取り外し可能な連結部４００は、一つ以上の水平部材１５と、一つ以上の垂直部材４５とを含んでもよい。取り外し可能な連結部４００は、一つ以上のネット拡張環状部７０に連結されるために用いられる一つ以上の連結部材９０を含んでもよい。
【００１５】
図６に示されたように、取り外し可能な連結部４００の連結部材９０は、バリケード２００Ａ，２００Ｂの拡張環状部７０に連結されてもよい。連結部材９０は、Ｄリンクや他の結合装置または連結装置を用いて、拡張環状部９０に連結されてもよい。
【００１６】
図７は、取り外し可能な連結部４００を用いて連結されたバリケード２００Ａ，２００Ｂの上面図である。図８において、取り外し可能なバリケードシステムの一部の側方図は、例えばペンキ、テープまたは縫い目からなる、垂直部材４０および水平部材１０の一部を覆う反射部材１１０を示している。反射部材１１０は、同様に、取り外し可能な連結部４００（図示せず）に設けられてもよいし、システムの見た目を改善してもよいし、垂直部材および水平部材の間の縫い目を覆ってもよい。
【００１７】
図９は、直角に配置されたバリケード２００Ａ，２００Ｂに連結する取り外し可能な連結部４００の上方図を示している。図１０は、直角に配置されたバリケード２００Ａ，２００Ｂに連結する取り外し可能な連結部４００の正面図を示している。
【００１８】
本願で開示されたシステムの別の態様において、スリーブの頂点カバー５０は、ボラード１００上に配置される前に、バリケード２００の配置を容易にするために、色分けされてもよい。
【００１９】
別の態様において、二つ以上のバリケード２００は、引っ張りラッチ６０で連結されてもよい。
【００２０】
ボラード１００は、予め存在する固定されたボラードであってもよいし、引っ込み式または取り外し可能なボラードであってもよく、通常は地面に固定されている。
【００２１】
別の態様において、バリケード２００は、ナイロン製のひもからなるカーゴネットのような耐久性のあるメッシュから構成されてもよい。しかしながら、さらに別の態様において、バリケード２００は、例えばコンクリート、木材、金属または複合材料のような硬い構造からなってもよい。
【００２２】
別の態様において、バリケード２００は、連続したボラード１００の頂点から連続したボラードの基部まで延びてもよい。このように、一対のボラード１００の間の全体の領域がバリケード２００によって閉鎖されてもよい。
【００２３】
図示された実施の形態が本願では記載されているが、本発明の原理から離れることなく、かつ、その主要な利点を犠牲にすることなく、本発明の範囲内で、様々な修正がされてもよいことは、注意されるべきであり、当業者であれば理解されるべきである。
【００２４】
明確に示されていない限り、本願の文言と表現は、限定するためのものではなく、表現するために用いられている。文言または表現を使用することは、図示され示されている特徴と等価のものを排除することを意図するものではなく、本発明は、請求項によって画定されるべきである。
【図１】
2010504452.tif 000003
【図２】
2010504452.tif 000004
【図３】
2010504452.tif 000005
【図４】
2010504452.tif 000006
【図５】
2010504452.tif 000007
【図６】
2010504452.tif 000008
【図７】
2010504452.tif 000009
【図８】
2010504452.tif 000010
【図９】
2010504452.tif 000011
【図１０】
2010504452.tif 000012
【手続補正書】
【提出日】平成21年6月3日(2009.6.3)
【手続補正１】
【補正対象書類名】特許請求の範囲
【補正対象項目名】全文
【補正方法】変更
【補正の内容】
【特許請求の範囲】
【請求項１】
第一ボラード、第二ボラードおよび第三ボラードを用い、取り外し可能なバリケードシステムであって、
第一ボラードに取り付けられる第一スリーブと、
第二ボラードに取り付けられる第二スリーブと、
第三ボラードに取り付けられる第三スリーブと、
第一スリーブ、第二スリーブおよび第三スリーブに取り付けられたバリケードと、を備え、
前記バリケードは、第一ボラードから第二ボラードまでの距離に第二ボラードから第三ボラードまでの距離を加えた距離よりも長い少なくとも一つの略水平部材と、略水平部材を引っ張るとともに、略水平部材の余分な部分を集めるための調整可能な引張ラッチとを含み、
前記バリケードが、第一ボラード、第二ボラードおよび第三ボラードの間の領域を閉鎖する、バリケードシステム。
【請求項２】
前記スリーブのうちの少なくとも一つが、頂点カバーを有する、請求項１に記載された取り外し可能なバリケードシステム。
【請求項３】
前記頂点カバーが、水平部材の少なくとも一部を包囲する環状部を有する、請求項２に記載された取り外し可能なバリケードシステム。
【請求項４】
前記バリケードの少なくとも一部が、堅固な構造からなる、請求項１に記載された取り外し可能なバリケードシステム。
【請求項５】
前記バリケードの少なくとも一部が、木材、金属および複合材料の一つからなる、請求項１に記載された取り外し可能なバリケードシステム。
【請求項６】
前記バリケードは、第一ボラードと第二ボラードの頂点から底面まで延在する、請求項１に記載された取り外し可能なバリケードシステム。
【請求項７】
前記第一スリーブと前記第二スリーブの少なくとも一つは、一つ以上の取り付けられた拡張環状部を有する、請求項１に記載された取り外し可能なバリケードシステム。
【請求項８】
前記バリケードの少なくとも一部は、ナイロン製のひもからなるカーゴネットである、請求項１に記載された取り外し可能なバリケードシステム。
【請求項９】
取り外し可能な連結部が、少なくとも一つの拡張環状部に連結されている、請求項８に記載された取り外し可能なバリケードシステム。
【請求項１０】
調整可能な引っ張り部は、所定の閾値力を超えた力が水平部材に加わると、水平部材の過剰な部分の少なくとも一部を開放する、請求項１に記載された取り外し可能なバリケードシステム。
【請求項１１】
調整可能な引っ張り部がバックルからなる、請求項１に記載された取り外し可能なバリケードシステム。
【請求項１２】
調整可能な引っ張り部がラッチからなる、請求項１に記載された取り外し可能なバリケードシステム。
【請求項１３】
第一スリーブ、第二スリーブおよび第三スリーブの少なくとも一つは、一つ以上の環状部を有し、当該環状部を通して水平部材が縫われる、請求項１に記載された取り外し可能なバリケードシステム。
【請求項１４】
第一ボラード、第二ボラードおよび第三ボラードが略直線状に配置され、
第二ボラードが、第一ボラードと第三ボラードの間に配置され、
水平部材が、第一スリーブと第三スリーブに機械的に連結されている、請求項１に記載された取り外し可能なバリケードシステム。
【請求項１５】
水平部材が、第一スリーブに機械的に連結されている、請求項１に記載された取り外し可能なバリケードシステム。
【請求項１６】
第一ボラード、第二ボラードおよび第三ボラードを用い、取り外し可能なバリケードシステムであって、
第一ボラード、第二ボラードおよび第三ボラードの各々に固定された、第一スリーブ、第二スリーブおよび第三スリーブと、
第一ボラード、第二ボラードおよび第三ボラードにわたって広がるとともに、第一スリーブ、第二スリーブおよび第三スリーブによって支持される可塑性を有する横断部材であって、第一ボラードから第二ボラードまでの距離に第二ボラードから第三ボラードまでの距離を加えた距離よりも長い長さからなる可塑性を有する横断部材と、
可塑性を有する横断部材を引っ張るとともに、可塑性を有する横断部材の過剰な部分を集めるための調整可能な引っ張り部と、
を備えた、取り外し可能なバリケードシステム。
【請求項１７】
第一スリーブ、第二スリーブおよび第三スリーブの少なくとも一つは、一つ以上の環状部を有し、当該環状部を通して可塑性を有する横断部材が縫われる、請求項１６に記載された取り外し可能なバリケードシステム。
【請求項１８】
調整可能な引っ張り部は、所定の閾値力を超えた力が可塑性を有する横断部材に加わると、可塑性を有する横断部材の過剰な部分の少なくとも一部を開放する、請求項１６に記載された取り外し可能なバリケードシステム。
【請求項１９】
可塑性を有する横断部材は、第一ボラード、第二ボラードおよび第三ボラードの周りの環状部内に配置される、請求項１６に記載された取り外し可能なバリケードシステム。
【請求項２０】
所定の閾値力は、乗物が可塑性を有する横断部材に衝突することによって加えられる力である、請求項１８に記載された取り外し可能なバリケードシステム。
【請求項２１】
左側ボラード、中央ボラードおよび右側ボラードを用い、取り外し可能なバリケードシステムであって、
左側ボラード、中央ボラードおよび右側ボラードの各々に固定された、左側スリーブ、中央スリーブおよび右側スリーブと、
左側ボラード、中央ボラードおよび右側ボラードにわたって広がるとともに、左側スリーブ、中央スリーブおよび右側スリーブによって支持される可塑性を有する横断部材であって、左側ボラードから中央ボラードまでの距離に中央ボラードから右側ボラードまでの距離を加えた距離よりも長い長さからなる可塑性を有する横断部材と、
可塑性を有する横断部材を引っ張るとともに、可塑性を有する横断部材の過剰な部分を集めるための調整可能な引っ張り部と、
を備えた、取り外し可能なバリケードシステム。
【請求項２２】
調整可能な引っ張り部は、所定の閾値力を超えた力が可塑性を有する横断部材に加わると、可塑性を有する横断部材の過剰な部分の少なくとも一部を開放する、請求項２１に記載された取り外し可能なバリケードシステム。
【請求項２３】
所定の閾値力は、乗物が可塑性を有する横断部材に衝突することによって加えられる力である、請求項２２に記載された取り外し可能なバリケードシステム。